(57)【要約】【課題】記録処理システムにコンテンツの記録先を制御する機能を持たせることにより、記録処理システムに接続された携帯型再生装置にコンテンツを記録する際の利便性を高めることを可能とする。【解決手段】コンテンツを記録するＮＡＳ１０は、コンテンツを記録する第１の蓄積部と、コンテンツを記録する第２の蓄積部を備える携帯型映像再生装置３０を接続する第１の接続部と、コンテンツの記録予約情報を第１の蓄積部に保存させる記録予約情報保存処理部と、保存された記録予約情報に基づいて、コンテンツを受信する受信処理部と、受信されたコンテンツである受信コンテンツを、第１の蓄積部と第１の接続部に接続された携帯型映像再生装置３０に備えられた第２の蓄積部とのいずれに記録するか選択する記録処理部とを備える。【選択図】図１
2011175717.tif 000002
【特許請求の範囲】
【請求項１】
コンテンツを記録可能である記録処理システムであって、
前記コンテンツを記録する第１の蓄積部と、
前記コンテンツを記録する第２の蓄積部を備える携帯型再生装置を接続する第１の接続部と、
前記コンテンツの記録予約情報を前記第１の蓄積部に保存させる記録予約情報保存処理部と、
前記記録予約情報保存処理部によって保存された前記記録予約情報に基づいて、前記コンテンツを受信する受信処理部と、
前記受信処理部によって受信された前記コンテンツである受信コンテンツを、前記第１の蓄積部と前記第１の接続部に接続された前記携帯型再生装置に備えられた前記第２の蓄積部とのいずれかに選択的に記録させる記録処理部とを備える記録処理システム。
【請求項２】
前記記録処理部は、
前記第１の接続部に前記携帯型再生装置が接続されている場合は、前記受信コンテンツを前記第１の蓄積部に記録させることを省略し、前記第２の蓄積部に記録させ、
前記第１の接続部に前記携帯型再生装置が接続されていない場合は、前記受信コンテンツを前記第１の蓄積部に記録させる請求項１に記載の記録処理システム。
【請求項３】
前記第１の蓄積部と前記第２の蓄積部とは、電源供給の有無にかかわらず記憶された情報を保持する不揮発性記憶装置である請求項１又は２に記載の記録処理システム。
【請求項４】
前記記録処理システムと通信を行う端末装置を接続する第２の接続部と、
前記第２の接続部に接続された前記端末装置によって作成された前記記録予約情報を、前記端末装置から受信する第１の記録予約情報受信処理部とを備える請求項１乃至３のいずれかに記載の記録処理システム。
【請求項５】
ネットワークを介して、前記コンテンツの記録予約サービスを提供するウェブサーバと通信を行う端末装置が、前記ウェブサーバの記録予約サービス機能を用いて作成した前記記録予約情報を、前記ウェブサーバから受信する第２の記録予約情報受信処理部を備える請求項１乃至３のいずれかに記載の記録処理システム。
【請求項６】
ネットワークを介して、前記記録処理システムと通信を行う端末装置からの前記記録予約情報を用いて、前記記録予約情報保存処理部によって保存される前記記録予約情報を作成する記録予約情報作成処理部を備える請求項１乃至３のいずれかに記載の記録処理システム。
【請求項７】
前記受信処理部は、複数の前記コンテンツを同時に受信可能であり、前記第２の記録処理部は、複数の前記コンテンツを同時に記録可能である請求項１乃至６のいずれかに記載の記録処理システム。
【発明の詳細な説明】
【技術分野】
【０００１】
本発明は、コンテンツの記録先を制御する機能とコンテンツの記録予約機能とを有する記録処理システムに関する。
【背景技術】
【０００２】
近年、ブルーレイディスクやＤＶＤ（Ｄｉｇｉｔａｌ  Ｖｅｒｓａｔｉｌｅ  Ｄｉｓｃ）などの可搬可能な記録メディアやＨＤＤ（Ｈａｒｄ  Ｄｉｓｋ  Ｄｒｉｖｅ）などの内蔵型記録メディアに、デジタルチューナーによって受信されたデジタル映像コンテンツを録画する録画装置が普及している。また、内蔵又は外付けされたデジタルチューナーを有するパーソナルコンピュータに備えられたＨＤＤ等の記録メディアに、デジタルチューナーによって受信されたデジタル映像コンテンツを録画することも一般化してきている。デジタル映像コンテンツの録画は、録画装置の録画予約機能又はパーソナルコンピュータの録画予約アプリケーションを用いて行われることが多い。
【０００３】
録画装置又はパーソナルコンピュータの記録メディアに一旦録画されたデジタル映像コンテンツを、携帯型映像再生装置に内蔵されたＨＤＤ等の記録メディアにコピー（複製）又はムーブ（移動）し、屋外などで視聴し楽しむことも可能である。
【０００４】
また、デジタル放送受信装置（録画装置）において、デジタル映像コンテンツの録画予約機能に加えて、携帯プレーヤなどの外部装置（携帯型映像再生装置）への移動予約機能を一連の操作によって行うことができる技術も提案されている（例えば、特許文献１参照）。
【先行技術文献】
【特許文献】
【０００５】
【特許文献１】特開２００９−５５１２９号公報
【発明の概要】
【発明が解決しようとする課題】
【０００６】
上述した技術では、デジタル映像コンテンツの録画予約機能と移動予約機能とを一連の操作によって行うことにより、デジタル放送受信装置を利用する際の利便性を高めている。
【０００７】
しかしながら、デジタル映像コンテンツは一旦デジタル放送受信装置に録画された後、携帯プレーヤなどの外部装置へ移動される。また、一般的に、デジタル映像コンテンツのデータ量は大きい。従って、ユーザが、デジタル映像コンテンツを外部装置に録画したい場合であっても、映像コンテンツは必ず一旦デジタル放送受信装置に録画されるため、デジタル放送受信装置の記録メディアは、データ量の大きいデジタル映像コンテンツを格納可能な容量を確保していなければならず、また、外部装置の記録メディアに録画する時間が余分にかかることにもなる。
【０００８】
また、ＡＲＩＢ（社団法人  電波産業会）よって、デジタル映像コンテンツを特定装置の記録メディアに録画する際には、特定装置によりデジタル映像コンテンツに対してローカル暗号化が施されなければならない旨が規定されている。従って、上述した技術では、デジタル放送受信装置と携帯プレーヤなどの外部装置とにおいて、２度にわたってローカル暗号化が施されなければならないため、その時間も余分に必要となる。
【０００９】
上記問題点に鑑み、本発明は、記録処理システムにコンテンツの記録先を制御する機能を持たせることにより、記録処理システムに接続された携帯型再生装置にコンテンツを記録する際の利便性を高めることを目的とする。
【課題を解決するための手段】
【００１０】
上述した課題を解決するために、本発明は以下のような特徴を有している。
【００１１】
本発明の特徴は、コンテンツを記録する記録処理システム（ＮＡＳ１０）であって、前記コンテンツを記録する第１の蓄積部（蓄積装置４００）と、前記コンテンツを記録する第２の蓄積部を備える携帯型再生装置（携帯型映像再生装置３０）を接続する第１の接続部（Ｉ／Ｏ  Ｉ／Ｆ３００）と、前記コンテンツの記録予約情報を前記第１の蓄積部に保存させる記録予約情報保存処理部（録画予約情報保存処理部１０５）と、前記記録予約情報保存処理部によって保存された前記記録予約情報に基づいて、前記コンテンツを受信する受信処理部（受信処理部１０７）と、前記受信処理部によって受信された前記コンテンツである受信コンテンツを、前記第１の蓄積部と前記第１の接続部に接続された前記携帯型再生装置に備えられた前記第２の蓄積部とのいずれかに選択的に記録させる記録処理部（録画処理部１０９）とを備えることを要旨とする。
【００１２】
本発明の特徴は、前記記録処理部は、前記第１の接続部に前記携帯型再生装置が接続されている場合は、前記受信コンテンツを前記第１の蓄積部に記録させることを省略し、前記第２の蓄積部に記録させ、前記第１の接続部に前記携帯型再生装置が接続されていない場合は、前記受信コンテンツを前記第１の蓄積部に記録させることを要旨とする。
【００１３】
このような記録処理システムによれば、携帯型再生装置が第１の接続部に接続されている場合は、記録処理システムの第１の蓄積装置はデータ量の大きいコンテンツを格納可能な容量を確保する必要がない。
【００１４】
また、コンテンツは、記録処理システムの第１の蓄積装置に記録されず、携帯型再生装置の第２の蓄積装置に記録されるのみであるため、従来と比べ、携帯型再生装置の第２の蓄積装置に記録される時間が短縮される。
【００１５】
また、コンテンツは、記録処理システムの第１の蓄積装置に記録されず、携帯型再生装置の第２の蓄積装置に記録されるのみであるため、記録処理システムの第１の蓄積装置に記録する際のローカル暗号化が行われず、その時間が短縮される。
【００１６】
本発明の特徴は、前記第１の蓄積部と前記第２の蓄積部とは、電源供給の有無にかかわらず記憶された情報を保持する不揮発性記憶装置であることを要旨とする。
【００１７】
本発明の特徴は、前記記録処理システムと通信を行う端末装置（携帯型映像再生装置３０）を接続する第２の接続部（Ｉ／Ｏ  Ｉ／Ｆ３００）と、前記第２の接続部に接続された前記端末装置によって作成された前記記録予約情報を、前記端末装置から受信する第１の記録予約情報受信処理部（録画予約情報受信処理部１０１）とを備えることを要旨とする。
【００１８】
本発明の特徴は、ネットワークを介して、前記コンテンツの記録予約サービスを提供するウェブサーバ（ウェブサーバ４０）と通信を行う端末装置（携帯型映像再生装置３０）が、前記ウェブサーバの記録予約サービス機能を用いて作成した前記記録予約情報を、前記ウェブサーバから受信する第２の記録予約情報受信処理部（録画予約情報受信処理部１０１）を備えることを要旨とする。
【００１９】
このような記録処理システムによれば、端末装置に対するユーザの操作を行うことにより、ネットワークを介して、記録予約情報が記載されたファイルを作成することが可能であるため、記録予約を行うために端末装置を記録処理システムに接続する必要がない。
【００２０】
本発明の特徴は、ネットワークを介して、前記記録処理システムと通信を行う端末装置（携帯型映像再生装置３０）からの前記記録予約情報を用いて、前記記録予約情報保存処理部によって保存される前記記録予約情報を作成する記録予約情報作成処理部（録画予約情報作成処理部１０３）を備えることを要旨とする。
【００２１】
このような記録処理システムによれば、端末装置に対するユーザの操作を行うことにより、ネットワークを介して、記録予約情報が記載されたファイルを作成することが可能であるため、記録予約を行うために端末装置を記録処理システムに接続する必要がない。
【００２２】
本発明の特徴は、前記受信処理部は、複数の前記コンテンツを同時に受信可能であり、前記第２の記録処理部は、複数の前記コンテンツを同時に記録可能であることを要旨とする。
【００２３】
このような記録処理システムによれば、コンテンツを１つづつ受信及び記録する場合と比べて、携帯型再生装置の第２の蓄積装置に記録される時間が短縮される。また、同時刻に放送される複数のコンテンツのいずれかを選択することなく、当該複数のコンテンツを受信及び記録することが可能となる。
【発明の効果】
【００２４】
本発明によれば、記録処理システムにコンテンツの記録先を制御する機能を持たせることにより、記録処理システムに接続された携帯型再生装置にコンテンツを記録する際の利便性を高めることが可能となる。
【図面の簡単な説明】
【００２５】
【図１】本発明の実施形態に係る通信システムの全体概略構成図である。
【図２】本発明の実施形態に係るＮＡＳの構成図である。
【図３】本発明の実施形態に係るＮＡＳにおける第１の録画予約の動作を示すフローチャートである。
【図４】本発明の実施形態に係るＮＡＳにおける第２の録画予約の動作を示すフローチャートである。
【図５】本発明の実施形態に係るＮＡＳにおける第３の録画予約の動作を示すフローチャートである。
【図６】本発明の実施形態に係るＮＡＳの録画の動作を示すフローチャートである。
【図７】本発明の実施形態に係るＮＡＳ又は形態端末が有する録画予約アプリケーションの画面例である。
【発明を実施するための形態】
【００２６】
次に、図面を参照して、本発明の実施形態を説明する。具体的には、（１）通信システムの全体概略構成、（２）ＮＡＳの構成、（３）ＮＡＳの動作、（４）作用・効果、（５）その他の実施形態について説明する。以下の実施形態における図面の記載において、同一又は類似の部分には同一又は類似の符号を付している。
【００２７】
（１）通信システムの全体概略構成
図１は、本発明の実施形態に係る通信システム１の全体概略構成図である。
【００２８】
図１に示すように、通信システム１は、ＮＡＳ（Ｎｅｔｗｏｒｋ  Ａｔｔａｃｈｅｄ  Ｓｔｏｒａｇｅ）１０と、ワンセグチューナ２０と、携帯型映像再生装置３０と、ウェブサーバ４０と、地上デジタル放送放送局５０と、インターネットやＬＡＮ等のネットワーク６０とを含む。
【００２９】
ＮＡＳ１０は、後述するチューナ接続部６００に接続されたワンセグチューナ２０を介して、地上デジタル放送放送局５０からデジタル映像コンテンツを受信する。次に、ＮＡＳ１０は、後述するＩ／Ｏ  Ｉ／Ｆ３００に接続された携帯型映像再生装置３０に、受信したデジタル映像コンテンツを転送する。なお、ＮＡＳ１０は、後述する通信Ｉ／Ｆ７００を用い、ネットワーク６０を介して、携帯型映像再生装置３０とウェブサーバ４０との通信を行う。また、ＮＡＳ１０は、後述する蓄積装置４００に録画予約アプリケーションを保持する。
【００３０】
ワンセグチューナ２０は、ＮＡＳ１０の後述するチューナ接続部６００に接続され、地上デジタル放送放送局５０からデジタル映像コンテンツを受信する。なお、本発明の実施形態において、ワンセグチューナ２０の代わりにフルセグチューナを用いてもよい。
【００３１】
携帯型映像再生装置３０は、ＮＡＳ１０の後述するＩ／Ｏ  Ｉ／Ｆ３００に接続される。携帯型映像再生装置３０は、ワンセグチューナ２０によって受信されたデジタル映像コンテンツであり、ＮＡＳ１０が携帯型映像再生装置３０に転送したデジタル映像コンテンツを、携帯型映像再生装置３０の図示されていない蓄積装置に録画する。なお、携帯型映像再生装置３０の図示されていない蓄積装置はＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性記憶装置によって構成される。また、録画の際には、転送されたデジタル映像コンテンツに対して、ＡＲＩＢによって規定されたローカル暗号化が施される。また、携帯型映像再生装置３０の図示されていない蓄積装置において、デジタル映像コンテンツを格納可能な容量が所定のしきい値を下回った場合は、携帯型映像再生装置３０は、デジタル映像コンテンツの録画を強制的に停止する。また、携帯型映像再生装置３０の図示されていない蓄積装置において、デジタル映像コンテンツを格納可能な容量が所定のしきい値を下回った場合は、携帯型映像再生装置３０は、蓄積装置に録画済のデジタル映像コンテンツのうち録画日付が古いものから順に削除してもよい。また、携帯型映像再生装置３０は、ネットワーク６０を介して、ＮＡＳ１０とウェブサーバ４０との通信を行う。また、携帯型映像再生装置３０は、録画予約アプリケーションとウェブブラウザアプリケーションとを図示されていない蓄積装置に保持する。
【００３２】
ウェブサーバ４０は、ネットワーク６０を介して、ＥＰＧ（Ｅｌｅｃｔｒｏｎｉｃ  Ｐｒｏｇｒａｍ  Ｇｕｉｄｅ：電子番組ガイド）を用いたデジタル映像コンテンツの録画予約サービスを提供する。本発明の実施形態においては、録画予約サービスを利用するために、ＮＡＳ１０と携帯型映像再生装置３０とに関する情報が、ウェブサーバ４０に登録されているものとする。
【００３３】
地上デジタル放送放送局５０は、デジタル映像コンテンツを配信する。
【００３４】
（２）ＮＡＳの構成
図２は、本発明の実施形態に係るＮＡＳ１０の構成図である。
【００３５】
ＮＡＳ１０は、ＣＰＵ１００と、コーデック２００と、Ｉ／Ｏ  Ｉ／Ｆ３００と、蓄積装置４００と、メモリ５００と、チューナ接続部６００、と通信Ｉ／Ｆ７００とを含む。
【００３６】
ＣＰＵ１００は、ＮＡＳ１０が具備する各種機能を制御する。
【００３７】
コーデック２００は、チューナ接続部６００に接続されたワンセグチューナ２０が、地上デジタル放送放送局５０から受信したデジタル映像コンテンツ（ＭＰＥＧ２−ＴＳ）のエンコード（符号化）とデコード（復号化）とを行う。具体的には、コーデック２００は、動画の非可逆圧縮の規格であるＭＰＥＧ−２やＨ．２６４に従って、後述する蓄積装置４００に録画されるデジタル映像コンテンツの圧縮や伸張を行う。なお、本発明の実施形態においては、ワンセグに係るデジタル映像コンテンツについて説明するが、デジタル映像コンテンツはフルセグ係るデジタル映像コンテンツであってもよい。その場合、コーデック２００は、フルセグに係るデジタル映像コンテンツであり、Ｂ−ＣＡＳ方式に基づいて暗号化されたデジタル映像コンテンツの復号を行う。なお、コーデック２００がエンコード、デコード及び復号できるデジタル映像コンテンツに係る規格は、上記ＭＰＥＧ−２、Ｈ．２６４及びＢ−ＣＡＳ方式に限定されない。
【００３８】
Ｉ／Ｏ  Ｉ／Ｆ３００は、携帯型映像再生装置３０をＮＡＳ１０に直接接続するためのインターフェースである。なお、本発明の実施形態においては、Ｉ／Ｏ  Ｉ／Ｆ３００はＵＳＢ（Ｕｎｉｖｅｒｓａｌ  Ｓｅｒｉａｌ  Ｂｕｓ）コネクタであるが、Ｉ／Ｏ  Ｉ／Ｆ３００はＵＳＢコネクタに限定されるものではない。
【００３９】
蓄積装置４００は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ又はＳＤカードなどの不揮発性記憶装置によって構成される。蓄積装置４００は、ＮＡＳ１０に内蔵されていてもよい。また、蓄積装置４００は、ＮＡＳ１０の外部に位置し、ＵＳＢ等によって接続されていてもよい。
【００４０】
メモリ５００は、例えば、ＲＡＭ（Ｒａｎｄａｍ  Ａｃｃｅｓｓ  Ｍｅｍｏｒｙ）などの揮発性記憶装置によって構成され、ＮＡＳ１０における制御などに用いられる各種情報を記憶する。また、メモリ５００は、ワンセグチューナ２０によって受信されたデジタル映像コンテンツの一部を一時的に保持するバッファとして利用される。一方で、蓄積装置４００はバッファとしては利用されない。
【００４１】
チューナ接続部６００は、ワンセグチューナ２０をＮＡＳ１０に直接接続するためのインターフェースである。本発明の実施形態におけるＮＡＳ１０は、チューナ接続部６００にワンセグチューナ２０が接続された場合、接続されたワンセグチューナ２０を認識し、接続されたワンセグチューナ２０を使用可能な状態にするよう構成されている。なお、本発明の実施形態においては、チューナ接続部６００はＵＳＢ（Ｕｎｉｖｅｒｓａｌ  Ｓｅｒｉａｌ  Ｂｕｓ）コネクタであるが、チューナ接続部６００はＵＳＢコネクタに限定されるものではない。
【００４２】
通信Ｉ／Ｆ７００は、ネットワーク６０を介して、携帯型映像再生装置３０とウェブサーバ４０との通信を行う。
【００４３】
ＣＰＵ１００は、録画予約情報受信処理部１０１と、録画予約情報作成処理部１０３と、録画予約情報保存処理部１０５と、受信処理部１０７と、録画処理部１０９とを含む。
【００４４】
録画予約情報受信処理部１０１は、携帯型映像再生装置３０が、携帯型映像再生装置３０に保持された録画予約アプリケーションを実行して作成したファイルであり、デジタル映像コンテンツの録画予約情報が記載されたファイルを、携帯型映像再生装置３０から、Ｉ／Ｏ  Ｉ／Ｆ３００を介して、受信する。具体的には、携帯型映像再生装置３０は、携帯型映像再生装置３０に保持された録画予約アプリケーションを実行することにより、図７に示すような録画予約画面を、携帯型映像再生装置３０の図示されていない表示部に表示する。携帯型映像再生装置３０は、表示された録画予約画面に対するユーザの操作により、録画予約情報が記載されたファイルを作成し、携帯型映像再生装置３０の図示されていない蓄積装置に保持する。なお、ユーザによる操作は以下の順で行われる。ユーザは、日時指定１００１又は毎週１００３のいずれかを選択し、日時指定１００１を選択した場合は録画予約日時を、毎週１００３を選択した場合は、曜日を１つ以上選択する。次にユーザは、チャンネル１００５及び時刻１００７（開始時刻と終了時刻）を入力する。最後にユーザが、ＯＫボタン１００９を押下することにより、録画予約情報が記載されたファイルが作成される。一方、ユーザが、キャンセルボタン１０１１を押下すると、録画予約情報が記載されたファイルは作成されない。録画予約情報受信処理部１０１は、携帯型映像再生装置３０がＩ／Ｏ  Ｉ／Ｆ３００に接続されたことをトリガーとして、録画予約情報が記載されたファイルを携帯型映像再生装置３０から受信する。なお、録画予約情報受信処理部１０１が携帯型映像再生装置３０からファイルを受信するためのトリガーは、携帯型映像再生装置３０又はＮＡＳ１０に対するユーザの操作であってもよい。また、ファイルはテキストファイルでもよく、他のファイル形式によるものでもよい。
【００４５】
また、録画予約情報受信処理部１０１は、ウェブサーバ４０が、ウェブサーバ４０によって提供されるデジタル映像コンテンツの録画予約サービスを実行して作成したファイルであり、デジタル映像コンテンツの録画予約情報が記載されたファイルを、ウェブサーバ４０から、通信Ｉ／Ｆ７００を介して、受信する。具体的には、ウェブサーバ４０は、ウェブサーバ４０によって提供されるデジタル映像コンテンツの録画予約サービスを実行し、ネットワーク６０を介して、携帯型映像再生装置３０の図示されていない表示部にＥＰＧに係る番組表をウェブ設定ページとして表示させる。ウェブサーバ４０は、携帯型映像再生装置３０に表示された番組表に記載されたデジタル映像コンテンツを選択するユーザの操作により、録画予約情報が記載されたファイルを作成し、ウェブサーバ４０の図示されていない蓄積装置に保持する。なお、ウェブサーバ４０の図示されていない蓄積装置は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性記憶装置によって構成される。
【００４６】
録画予約情報受信処理部１０１は、一定の時間間隔でウェブサーバ４０の図示されていない蓄積装置にアクセスし、録画予約情報が記載されたファイルの有無を確認する。録画予約情報受信処理部１０１は、ウェブサーバ４０の図示されていない蓄積装置がファイルを有する場合は、ウェブサーバ４０からファイルを受信する。なお、録画予約情報受信処理部１０１がファイルを受信するためのトリガーは、ネットワーク６０に接続された携帯型映像再生装置３０又はＮＡＳ１０に対するユーザの操作であってもよい。また、ファイルはテキストファイルでもよく、他のファイル形式によるものでもよい。
【００４７】
録画予約情報作成処理部１０３は、ＮＡＳ１０の蓄積装置４００に保持された録画予約アプリケーションを実行し、デジタル映像コンテンツの録画予約情報が記載されたファイルを作成する。具体的には、録画予約情報作成処理部１０３は、ＮＡＳ１０の蓄積装置４００に保持された録画予約アプリケーションを実行し、ネットワーク６０を介して、図７に示すような録画予約画面を、ウェブ設定ページとして、携帯型映像再生装置３０の図示されていない表示部に表示させる。録画予約情報作成処理部１０３は、表示された録画予約画面に対するユーザの操作により、録画予約情報が記載されたファイルを作成する。なお、ユーザによる操作は以下の順で行われる。ユーザは、日時指定１００１又は毎週１００３のいずれかを選択し、日時指定１００１を選択した場合は録画予約日時を、毎週１００３を選択した場合は、曜日を１つ以上選択する。次にユーザは、チャンネル１００５及び時刻１００７（開始時刻と終了時刻）を入力する。最後にユーザが、ＯＫボタン１００９を押下することにより、録画予約情報が記載されたファイルが作成される。一方、ユーザが、キャンセルボタン１０１１を押下すると、録画予約情報が記載されたファイルは作成されない。なお、ファイルはテキストファイルでもよく、他のファイル形式によるものでもよい。
【００４８】
録画予約情報保存処理部１０５は、録画予約情報受信処理部１０１によって受信されたファイルであり、デジタル映像コンテンツの録画予約情報が記載されたファイルを、ＮＡＳ１０の蓄積装置４００に保存する。また、録画予約情報保存処理部１０５は、録画予約情報作成処理部１０３が、ＮＡＳ１０の蓄積装置４００に保持された録画予約アプリケーションを実行して作成したファイルであり、デジタル映像コンテンツの録画予約情報が記載されたファイルを、ＮＡＳ１０の蓄積装置４００に保存する。なお、録画予約情報保存処理部１０５は、ファイルをＮＡＳ１０の蓄積装置４００に保存する際に、録画予約が行われたデジタル映像コンテンツに係る電波の受信感度を確認し、確認結果に応じて録画予約が行われたデジタル映像コンテンツの録画を行わなくてもよい。
【００４９】
受信処理部１０７は、録画予約情報保存処理部１０５によってＮＡＳ１０の蓄積装置４００に保存されたファイルであり、デジタル映像コンテンツの録画予約情報が記載されたファイルの内容に従って、ワンセグチューナ２０を介して、地上デジタル放送放送局５０からデジタル映像コンテンツを受信する。
【００５０】
なお、受信開始時にデジタル映像コンテンツの受信感度が悪い場合は、受信処理部１０７は、デジタル映像コンテンツの受信を終了し、ＮＡＳ１０の図示されていないスピーカやＬＥＤ等を通じてユーザに録画予約の実行失敗を通知してもよい。
【００５１】
録画処理部１０９は、携帯型映像再生装置３０がＩ／Ｏ  Ｉ／Ｆ３００に接続されているか否かを判断する。録画処理部１０９が、Ｉ／Ｏ  Ｉ／Ｆ３００に携帯型映像再生装置３０が接続されていると判断した場合は、録画処理部１０９は、メモリ５００に受信処理部１０７によって受信されたデジタル映像コンテンツの一部を一時的にバッファリングするが、受信処理部１０７によって受信されたデジタル映像コンテンツを、蓄積装置４００に録画することなく、Ｉ／Ｏ  Ｉ／Ｆ３００に接続された携帯型映像再生装置３０に転送する。一方、録画処理部１０９が、Ｉ／Ｏ  Ｉ／Ｆ３００に携帯型映像再生装置３０が接続されていないと判断した場合は、録画処理部１０９は、受信処理部１０７によって受信されたデジタル映像コンテンツを、蓄積装置４００に録画する。なお、蓄積装置４００に録画する際には、受信されたデジタル映像コンテンツに対して、ＡＲＩＢによって規定されたローカル暗号化が施される。また、録画処理部１０９が、携帯型映像再生装置３０にデジタル映像コンテンツを転送するためのトリガーは、携帯型映像再生装置３０又はＮＡＳ１０に対するユーザの操作であってもよい。
【００５２】
（３）ＮＡＳの動作
次に、ＮＡＳ１０の動作を説明する。図３乃至図６は、ＮＡＳ１０の動作を示すフローチャートである。
【００５３】
まず、図３を用いて、ＮＡＳ１０が、デジタル映像コンテンツの録画予約を行う第１の動作について説明する。
【００５４】
ステップＳ１０１において、録画予約情報受信処理部１０１は、携帯型映像再生装置３０が、携帯型映像再生装置３０に保持された録画予約アプリケーションを実行して作成したファイルであり、デジタル映像コンテンツの録画予約情報が記載されたファイルを、携帯型映像再生装置３０から、Ｉ／Ｏ  Ｉ／Ｆ３００を介して、受信する。具体的には、携帯型映像再生装置３０は、携帯型映像再生装置３０に保持された録画予約アプリケーションを実行することにより、図７に示すような録画予約画面を、携帯型映像再生装置３０の図示されていない表示部に表示する。携帯型映像再生装置３０は、表示された録画予約画面に対するユーザの操作により、録画予約情報が記載されたファイルを作成し、携帯型映像再生装置３０の図示されていない蓄積装置に保持する。録画予約情報受信処理部１０１は、携帯型映像再生装置３０がＩ／Ｏ  Ｉ／Ｆ３００に接続されたことをトリガーとして、録画予約情報が記載されたファイルを携帯型映像再生装置３０から受信する。
【００５５】
ステップＳ１０３において、録画予約情報保存処理部１０５は、録画予約情報受信処理部１０１によって受信されたファイルであり、デジタル映像コンテンツの録画予約情報が記載されたファイルを、ＮＡＳ１０の蓄積装置４００に保存する。
【００５６】
次に図４を用いて、ＮＡＳ１０が、デジタル映像コンテンツの録画予約を行う第２の動作について説明する。
【００５７】
ステップＳ２０１において、録画予約情報受信処理部１０１は、ウェブサーバ４０が、ウェブサーバ４０によって提供されるデジタル映像コンテンツの録画予約サービスを実行して作成したファイルであり、デジタル映像コンテンツの録画予約情報が記載されたファイルを、ウェブサーバ４０から、通信Ｉ／Ｆ７００を介して、受信する。具体的には、ウェブサーバ４０は、ウェブサーバ４０によって提供されるデジタル映像コンテンツの録画予約サービスを実行し、ネットワーク６０を介して、携帯型映像再生装置３０の図示されていない表示部に、ＥＰＧに係る番組表をウェブ設定ページとして表示させる。ウェブサーバ４０は、携帯型映像再生装置３０に表示された番組表に記載されたデジタル映像コンテンツを選択するユーザの操作により、録画予約情報が記載されたファイルを作成し、ウェブサーバ４０の図示されていない蓄積装置に保持する。録画予約情報受信処理部１０１は、一定の時間間隔でウェブサーバ４０の図示されていない蓄積装置にアクセスし、録画予約情報が記載されたファイルの有無を確認する。録画予約情報受信処理部１０１は、ウェブサーバ４０の図示されていない蓄積装置がファイルを有する場合は、ウェブサーバ４０からファイルを受信する。
【００５８】
ステップＳ２０３において、録画予約情報保存処理部１０５は、録画予約情報受信処理部１０１によって受信されたファイルであり、デジタル映像コンテンツの録画予約情報が記載されたファイルを、ＮＡＳ１０の蓄積装置４００に保存する。
【００５９】
次に図５を用いて、ＮＡＳ１０が、デジタル映像コンテンツの録画予約を行う第３の動作について説明する。
【００６０】
ステップＳ３０１において、録画予約情報作成処理部１０３は、ＮＡＳ１０の蓄積装置４００に保持された録画予約アプリケーションを実行し、デジタル映像コンテンツの録画予約情報が記載されたファイルを作成する。具体的には、録画予約情報作成処理部１０３は、ＮＡＳ１０の蓄積装置４００に保持された録画予約アプリケーションを実行し、ネットワーク６０を介して、図７に示すような録画予約画面を、ウェブ設定ページとして、携帯型映像再生装置３０の図示されていない表示部に表示させる。録画予約情報作成処理部１０３は、表示された録画予約画面に対するユーザの操作により、録画予約情報が記載されたファイルを作成する。
【００６１】
ステップＳ３０３において、録画予約情報保存処理部１０５は、録画予約情報作成処理部１０３が、ＮＡＳ１０の蓄積装置４００に保持された録画予約アプリケーションを実行して作成したファイルであり、デジタル映像コンテンツの録画予約情報が記載されたファイルを、ＮＡＳ１０の蓄積装置４００に保存する。
【００６２】
次に図６を用いて、ＮＡＳ１０が、デジタル映像コンテンツの録画を行う動作について説明する。
【００６３】
ステップＳ４０１において、受信処理部１０７は、録画予約情報保存処理部１０５によってＮＡＳ１０の蓄積装置４００に保存されたファイルであり、デジタル映像コンテンツの録画予約情報が記載されたファイルの内容に従って、ワンセグチューナ２０を介して、地上デジタル放送放送局５０からデジタル映像コンテンツを受信する。
【００６４】
ステップＳ４０３において、録画処理部１０９は、携帯型映像再生装置３０がＩ／Ｏ  Ｉ／Ｆ３００に接続されているか否かを判断する。録画処理部１０９が、Ｉ／Ｏ  Ｉ／Ｆ３００に携帯型映像再生装置３０が接続されていると判断した場合は、ステップＳ４０５に進む。一方、録画処理部１０９が、Ｉ／Ｏ  Ｉ／Ｆ３００に携帯型映像再生装置３０が接続されていないと判断した場合は、ステップＳ４０７に進む。
【００６５】
ステップＳ４０５において、録画処理部１０９は、メモリ５００に受信処理部１０７によって受信されたデジタル映像コンテンツの一部を一時的にバッファリングするが、受信処理部１０７によって受信されたデジタル映像コンテンツを、蓄積装置４００に録画することなく、Ｉ／Ｏ  Ｉ／Ｆ３００に接続された携帯型映像再生装置３０に転送し、携帯型映像再生装置３０は、転送されたデジタル映像コンテンツを携帯型映像再生装置３０の図示されていない蓄積装置に録画する。
【００６６】
ステップＳ４０７において、録画処理部１０９は、受信処理部１０７によって受信されたデジタル映像コンテンツを、蓄積装置４００に録画する。
【００６７】
（４）作用・効果
本発明の実施形態において、ＮＡＳ１０が、携帯型映像再生装置３０はＩ／Ｏ  Ｉ／Ｆ３００に接続されていると判断した場合、ワンセグチューナ２０を介して、地上デジタル放送放送局５０から受信したデジタル映像コンテンツは、ＮＡＳ１０の蓄積装置４００に録画されることなく、携帯型映像再生装置３０に転送され、携帯型映像再生装置３０の蓄積装置に録画される。
【００６８】
このようなＮＡＳ１０によれば、携帯型映像再生装置３０がＩ／Ｏ  Ｉ／Ｆ３００に接続されている場合は、ＮＡＳ１０の蓄積装置４００はデータ量の大きいデジタル映像コンテンツを格納可能な容量を確保する必要がない。
【００６９】
また、デジタル映像コンテンツは、ＮＡＳ１０の蓄積装置４００に録画されず、携帯型映像再生装置３０の蓄積装置に録画されるのみであるため、従来と比べ、携帯型映像再生装置３０の蓄積装置に録画される時間が短縮される。
【００７０】
また、デジタル映像コンテンツは、ＮＡＳ１０の蓄積装置４００に録画されず、携帯型映像再生装置３０の蓄積装置に録画されるのみであるため、ＮＡＳ１０の蓄積装置４００に録画する際のローカル暗号化が行われず、その時間が短縮される。
【００７１】
また、携帯型映像再生装置３０に対するユーザの操作を行うことにより、ネットワーク６０を介して、録画予約情報が記載されたファイルを作成することが可能であるため、録画予約を行うために携帯型映像再生装置３０がＮＡＳ１０に接続される必要がない。
【００７２】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７３】
上述した実施形態では、ワンセグチューナ２０は、ＮＡＳ１０のチューナ接続部６００に接続されるが、ＮＡＳ１０に内蔵されていてもよい。また、ワンセグチューナ２０は、ＮＡＳ１０のチューナ接続部６００に２つ以上接続されてもよく、その場合、ＮＡＳ１０は、複数のデジタル映像コンテンツを同時に受信可能であり、ＮＡＳ１０は、複数のデジタル映像コンテンツを携帯型映像再生装置３０の蓄積装置に同時に録画可能である。その際、携帯型映像再生装置３０は、複数のデジタル映像コンテンツ（ＭＰＥＧ２−ＴＳ）それぞれのヘッダ情報を解析し、複数のデジタル映像コンテンツそれぞれを他から識別することにより、複数のデジタル映像コンテンツを同時に録画することを可能とする。
【００７４】
また、上述した実施形態では、ＮＡＳ１０は、デジタル映像コンテンツを録画するが、アナログ映像コンテンツを録画してもよい。また、ＮＡＳ１０は、映像コンテンツではなく、音声コンテンツを録音してもよい。
【００７５】
また、上述した実施形態では、携帯型映像再生装置３０をＩ／Ｏ  Ｉ／Ｆ３００に直接接続することにより、ＮＡＳ１０は、携帯型映像再生装置３０が、携帯型映像再生装置３０に保持された録画予約アプリケーションを実行して作成したファイルであり、デジタル映像コンテンツの録画予約情報が記載されたファイルを受信することが可能である。従って、ＮＡＳ１０は、ネットワーク６０を介することなく、デジタル映像コンテンツの録画予約と録画とが可能であるため、通信Ｉ／Ｆ７００を有していなくともよい。また、携帯型映像再生装置３０も、ネットワーク６０を介して、ＮＡＳ１０等と通信する機能を有していなくてもよい。
【００７６】
また、上述した実施形態のＮＡＳ１０は、Ｉ／Ｏ  Ｉ／Ｆ３００と蓄積装置４００とチューナ接続部６００とを有するサーバ、パーソナルコンピュータ、ルータ又は録画装置であってもよい。
【００７７】
また、蓄積装置４００は、ＮＡＳ１０に内蔵されていてもよい。また、蓄積装置４００は、ＮＡＳ１０の外部に位置し、ＵＳＢ等によって接続されていてもよい。
【００７８】
また、上述した実施形態の携帯型映像再生装置３０は、携帯電話端末，パーソナルコンピュータであってもよい。また、デジタル映像コンテンツを再生せず、録画予約を行うだけであれば、携帯型映像再生装置３０は、映像再生機能を有しない端末装置でもよい。
【００７９】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００８０】
本発明の記録処理システムは、記録処理システムにコンテンツの記録先を制御する機能を持たせることにより、記録処理システムに接続された携帯型再生装置にコンテンツを記録する際の利便性を高めることが可能であり、記録処理システムとして有用である。
【符号の説明】
【００８１】
１…通信システム、１０…ＮＡＳ、２０…ワンセグチューナ、３０…携帯型映像再生装置、４０…ウェブサーバ、５０…地上デジタル放送放送局、６０…ネットワーク、１００…ＣＰＵ、１０１…録画予約情報受信処理部、１０３…録画予約情報作成処理部、１０５…録画予約情報保存処理部、１０７…受信処理部、１０９…録画処理部、２００…コーデック、３００…Ｉ／Ｏ  Ｉ／Ｆ、４００…蓄積装置、５００…メモリ、６００…チューナ接続部、７００…通信Ｉ／Ｆ
【図１】
2011175717.tif 000003
【図２】
2011175717.tif 000004
【図３】
2011175717.tif 000005
【図４】
2011175717.tif 000006
【図５】
2011175717.tif 000007
【図６】
2011175717.tif 000008
【図７】
2011175717.tif 000009